(57)【特許請求の範囲】
【請求項１】
像保持体と、当該像保持体を帯電する帯電手段と、帯電された当該像保持体を露光する露光手段と、現像剤保持体を有し露光された像を現像する現像手段と、現像された像を被転写体に転写する転写手段と、転写後の当該像保持体上に残った現像剤を除去するクリーニング手段とを備えた複数の画像形成部と、
前記複数の画像形成部のうち一部の画像形成部により記録媒体に画像を形成する場合に、当該複数の画像形成部のうち記録媒体に画像を形成しない他の画像形成部の前記現像剤保持体が回転していない状態で、当該現像剤保持体と当該他の画像形成部の前記像保持体との間にある現像剤を当該他の画像形成部の前記帯電手段が当該像保持体との間で放電を伴いながら当該像保持体に帯電バイアスを印加し当該像保持体に転移させた後に、当該現像剤保持体が回転していない状態で、当該他の画像形成部の当該帯電手段が当該像保持体との間で放電を伴うことなく当該像保持体に帯電バイアスを印加するように制御する制御手段と
を有する画像形成装置。
【請求項２】
前記制御手段は、前記他の画像形成部の前記現像剤保持体を回転させないことにより、当該現像剤保持体から当該他の画像形成部の前記像保持体へ現像剤が転移することを抑制することを特徴とする請求項１記載の画像形成装置。
【請求項３】
前記制御手段は、前記他の画像形成部の前記転写手段が印加する転写バイアスを０Ｖとすることを特徴とする請求項１または２記載の画像形成装置。
【請求項４】
前記制御手段は、前記他の画像形成部の前記帯電手段が前記像保持体に印加する帯電バイアスの絶対値を０よりも大きくすることを特徴とする請求項１乃至３のいずれか１項記載の画像形成装置。
【請求項５】
前記他の画像形成部の前記現像手段は、前記現像剤保持体に交流バイアスを印加する交流印加手段を有し、
前記制御手段は、前記複数の画像形成部の全てにより記録媒体に画像を形成した後に、当該複数の画像形成部のうち前記一部の画像形成部により記録媒体に画像を形成する場合に、前記他の画像形成部の前記現像剤保持体と当該他の画像形成部の前記像保持体との間にある現像剤を当該像保持体に転移させる際に、前記交流印加手段が当該現像剤保持体に交流バイアスを印加することを特徴とする請求項１乃至４のいずれか１項記載の画像形成装置。
【発明の詳細な説明】
【技術分野】
【０００１】
本発明は、画像形成装置に関する。
【背景技術】
【０００２】
特許文献１には、次の従来技術が開示されている。この従来技術は、静電潜像の顕像化を行う前記画像形成部は、単色画像を印字する際に、静電潜像の顕像化を行う顕像部のうち、最も上流に位置する最上流顕像部のさらに上流に前記静電潜像の顕像化を行わない非顕像部がある場合、最上流顕像部の帯電電位をＶｄ（ｃ）、前記最上流顕像部の転写バイアスをＶｔｒ（ｃ）、前記最上流顕像部のさらに上流にある前記非顕像部の帯電電位をＶｄ（ｕｐ）、前記非顕像部の転写バイアスをＶｔｒ（ｕｐ）とし、前記トナーが負帯電性の場合は、Ｖｄ（ｃ）−Ｖｔｒ（ｃ）＜Ｖｄ（ｕｐ）−Ｖｔｒ（ｕｐ）、但し、Ｖｄ（ｕｐ）−Ｖｔｒ（ｕｐ）≧０が成立するようにしている。
【先行技術文献】
【特許文献】
【０００３】
【特許文献１】特開２００６−１０６４４４号公報
【発明の概要】
【発明が解決しようとする課題】
【０００４】
本発明は、画質の劣化を抑制しながら、像保持体上の現像剤を除去するクリーニング手段が捲れないようにすることを目的とする。
【課題を解決するための手段】
【０００５】
請求項１記載の発明は、像保持体と、当該像保持体を帯電する帯電手段と、帯電された当該像保持体を露光する露光手段と、現像剤保持体を有し露光された像を現像する現像手段と、現像された像を被転写体に転写する転写手段と、転写後の当該像保持体上に残った現像剤を除去するクリーニング手段とを備えた複数の画像形成部と、前記複数の画像形成部のうち一部の画像形成部により記録媒体に画像を形成する場合に、当該複数の画像形成部のうち記録媒体に画像を形成しない他の画像形成部の前記現像剤保持体が回転していない状態で、当該現像剤保持体と当該他の画像形成部の前記像保持体との間にある現像剤を当該他の画像形成部の前記帯電手段が当該像保持体との間で放電を伴いながら当該像保持体に帯電バイアスを印加し当該像保持体に転移させた後に、当該現像剤保持体が回転していない状態で、当該他の画像形成部の当該帯電手段が当該像保持体との間で放電を伴うことなく当該像保持体に帯電バイアスを印加するように制御する制御手段とを有する画像形成装置である。
【０００６】
請求項２記載の発明は、前記制御手段は、前記他の画像形成部の前記現像剤保持体を回転させないことにより、当該現像剤保持体から当該他の画像形成部の前記像保持体へ現像剤が転移することを抑制することを特徴とする請求項１記載の画像形成装置である。
請求項３記載の発明は、前記制御手段は、前記他の画像形成部の前記転写手段が印加する転写バイアスを０Ｖとすることを特徴とする請求項１または２記載の画像形成装置である。
請求項４記載の発明は、前記制御手段は、前記他の画像形成部の前記帯電手段が前記像保持体に印加する帯電バイアスの絶対値を０よりも大きくすることを特徴とする請求項１乃至３のいずれか１項記載の画像形成装置である。
請求項５記載の発明は、前記他の画像形成部の前記現像手段は、前記現像剤保持体に交流バイアスを印加する交流印加手段を有し、前記制御手段は、前記複数の画像形成部の全てにより記録媒体に画像を形成した後に、当該複数の画像形成部のうち前記一部の画像形成部により記録媒体に画像を形成する場合に、前記他の画像形成部の前記現像剤保持体と当該他の画像形成部の前記像保持体との間にある現像剤を当該像保持体に転移させる際に、前記交流印加手段が当該現像剤保持体に交流バイアスを印加することを特徴とする請求項１乃至４のいずれか１項記載の画像形成装置である。
【発明の効果】
【０００７】
請求項１記載の発明によれば、画質の劣化を抑制しながら、像保持体上の現像剤を除去するクリーニング手段が捲れないようにすることができる。
請求項２記載の発明によれば、記録媒体に画像を形成しない画像形成部において現像剤保持体と像保持体との間に現像剤が供給されることを抑制できる。
請求項３記載の発明によれば、本構成を有しない場合と比較して、記録媒体に画像を形成しない画像形成部から排出された現像剤が記録媒体に配置されることを抑制できる。
請求項４記載の発明によれば、本構成を有しない場合と比較して、像保持体の電位を安定させることができる。
請求項５記載の発明によれば、本構成を有しない場合と比較して、記録媒体に画像を形成しない画像形成部から排出された現像剤が記録媒体に配置されることを抑制できる。
【図面の簡単な説明】
【０００８】
【図１】本発明の実施の形態が適用される画像形成装置の全体構成を示した図である。
【図２】画像形成ユニットの構成を説明するための図である。
【図３】画像形成ユニットの駆動制御系および電気制御系の構成を説明するための図である。
【図４】フルカラー画像を形成する際にイエローの画像形成ユニットが行う画像形成動作のタイミングチャートである。
【図５】帯電電位および露光電位と、現像領域において現像ロールに印加される直流現像電圧との関係を説明するための図である。
【図６】印加装置が印加する印加電圧の大きさと感光体ドラム表面の状態との関係を示すための図である。
【図７】モノクロ画像を形成する際にイエローの画像形成ユニットが行う画像形成動作のタイミングチャートである。
【図８】モノクロ画像を形成する際に黒の画像形成ユニットが行う画像形成動作のタイミングチャートである。
【発明を実施するための形態】
【０００９】
以下、添付図面を参照して、本発明の実施の形態について詳細に説明する。
＜本体１＞
以下、添付図面を参照して、本実施の形態について詳細に説明する。
図１は本実施の形態が適用される画像形成装置の全体構成を示した図であり、所謂タンデム型のデジタルカラープリンタを示している。図１に示す画像形成装置は、本体１に、各色の階調データに対応して画像形成を行う画像プロセス系１０、記録用紙（シート）Ｓを搬送するシート搬送系４０、例えばパーソナルコンピュータや画像読み取り装置等に接続され、受信された画像データに対して予め定めた画像処理を施す画像処理系である画像処理部５０、画像形成装置全体を制御する制御部（制御手段）１００を備えている。
【００１０】
画像プロセス系１０は、水平方向に間隔を置いて並列的に配置される、イエロー（Ｙ）、マゼンタ（Ｍ）、シアン（Ｃ）、黒（Ｋ）の４つの画像形成ユニット１１Ｙ，１１Ｍ，１１Ｃ，１１Ｋ、この画像形成ユニット１１Ｙ，１１Ｍ，１１Ｃ，１１Ｋの感光体ドラム（像保持体）１２に形成された各色のトナー像を中間転写ベルト２１上に多重転写させる転写ユニット２０、画像形成ユニット１１Ｙ，１１Ｍ，１１Ｃ，１１Ｋに対してレーザ光を照射する光学系ユニットである走査光学系３０を備えている。また本体１には、転写ユニット２０によって二次転写された記録用紙Ｓ上の画像を、熱および圧力を用いて記録用紙Ｓに定着させる定着器２９を備えている。更に、画像形成ユニット１１Ｙ，１１Ｍ，１１Ｃ，１１Ｋに対して各色のトナーを供給するためのトナーカートリッジ１９Ｙ，１９Ｍ，１９Ｃ，１９Ｋが設けられている。
【００１１】
転写ユニット２０は、中間転写体である中間転写ベルト２１を駆動するドライブロール２２、中間転写ベルト２１に一定のテンションを付与するテンションロール２３、重畳された各色のトナー像を記録用紙Ｓに二次転写するためのバックアップロール２４、中間転写ベルト２１上に存在する残留トナー等を除去するクリーニング装置２５を備えている。中間転写ベルト２１は、このドライブロール２２とテンションロール２３およびバックアップロール２４との間に一定のテンションで掛け回されており、駆動モータ（図示せず）によって回転駆動されるドライブロール２２により、矢印方向に予め定めた速度で循環駆動される。この中間転写ベルト２１は、例えば、チャージアップを起こさないベルト素材（ゴムまたは樹脂）にて抵抗調整されたものが使用されている。クリーニング装置２５は、クリーニングブラシ２５ａおよびクリーニングブレード２５ｂを備えており、トナー像の転写工程が終了した後の中間転写ベルト２１の表面から残留トナーや紙粉等を除去して、次の画像形成プロセスに備えるように構成されている。
【００１２】
走査光学系３０は、図示しないレーザダイオード（ＬＤ）、変調器の他、レーザダイオード（ＬＤ）から出射されたレーザ光（ＬＢ−Ｙ，ＬＢ−Ｍ，ＬＢ−Ｃ，ＬＢ−Ｋ）を偏向走査するポリゴンミラー３１を備えている。図１に示す例では、走査光学系３０は、画像形成ユニット１１Ｙ，１１Ｍ，１１Ｃ，１１Ｋの下方に備えられることから、トナー等の落下による汚損の危険性を有している。そこで、走査光学系３０は、各構成部材を密閉するための直方体状のフレーム３２を設け、また、レーザ光（ＬＢ−Ｙ，ＬＢ−Ｍ，ＬＢ−Ｃ，ＬＢ−Ｋ）が通過するガラス製のウィンドウ３３をこのフレーム３２の上方に設けて、走査露光と共にシールド効果を高めるように構成されている。
【００１３】
シート搬送系４０は、画像が記録される記録用紙Ｓを積載して供給する給紙装置４１、給紙装置４１から記録用紙Ｓを取り上げて供給する送り出しロール４２、送り出しロール４２から供給された記録用紙Ｓを１枚ずつ分離して搬送するフィードロール４３、フィードロール４３により１枚ずつに分離された記録用紙Ｓを画像転写部に向けて搬送する搬送路４４を備えている。また、搬送路４４を介して搬送された記録用紙Ｓに対し、二次転写位置に向けてタイミングを合わせて搬送するレジストロール４５、二次転写位置に設けられバックアップロール２４に圧接して記録用紙Ｓ上に画像を二次転写する二次転写ロール４６を備えている。更に、定着器２９によってトナー画像が定着された記録用紙Ｓを本体１の機外に排出する排出ロール４７、排出ロール４７によって排出された記録用紙Ｓを積載する排出トレイ４８を有する。また、定着器２９によって定着された記録用紙Ｓを反転させて両面記録を可能とする両面用搬送ユニット４９を備えている。
【００１４】
次に、図１に示す画像形成装置の動作について説明する。図示しない原稿読み取り装置によって読み取られた原稿の色材反射光像や、図示しないパーソナルコンピュータ等にて形成された色材画像データは、例えばＲ（赤）、Ｇ（緑）、Ｂ（青）の反射率データとして画像処理部５０に入力される。画像処理部５０では、入力された反射率データに対して、シェーディング補正、位置ズレ補正、明度／色空間変換、ガンマ補正、枠消しや色編集、移動編集等の各種画像編集等の予め定めた画像処理が施される。画像処理が施された画像データは、イエロー（Ｙ）、マゼンタ（Ｍ）、シアン（Ｃ）、黒（Ｋ）の４色の色材階調データに変換され、走査光学系３０に出力される。
【００１５】
走査光学系３０では、入力された色材階調データに応じて、レーザダイオード（ＬＤ）（図示せず）から出射されたレーザ光（ＬＢ−Ｙ，ＬＢ−Ｍ，ＬＢ−Ｃ，ＬＢ−Ｋ）を、ｆ−θレンズ（図示せず）を介してポリゴンミラー３１に出射している。ポリゴンミラー３１では、入射されたレーザ光を各色の階調データに応じて変調し、偏向走査して、図示しない結像レンズおよび複数枚のみラーを介して画像形成ユニット１１Ｙ，１１Ｍ，１１Ｃ，１１Ｋの感光体ドラム１２に照射している。画像形成ユニット１１Ｙ，１１Ｍ，１１Ｃ，１１Ｋの感光体ドラム１２では、帯電された表面が走査露光され、静電潜像が形成される。形成された静電潜像は、各々の画像形成ユニット１１Ｙ，１１Ｍ，１１Ｃ，１１Ｋにて、イエロー（Ｙ）、マゼンタ（Ｍ）、シアン（Ｃ）、黒（Ｋ）の各色のトナー像として現像される。
【００１６】
画像形成ユニット１１Ｙ，１１Ｍ，１１Ｃ，１１Ｋの感光体ドラム１２上に形成されたトナー像は、中間転写体である中間転写ベルト２１上に多重転写される。このとき、黒色のトナー像を形成する黒の画像形成ユニット１１Ｋは、中間転写ベルト２１の移動方向の最下流側に設けられ、黒色のトナー像は、中間転写ベルト２１に対して最後に一次転写される。
【００１７】
一方、シート搬送系４０では、画像形成のタイミングに合わせて送り出しロール４２が回転し、給紙装置４１から予め定めたサイズの記録用紙Ｓが供給される。フィードロール４３により１枚ずつ分離された記録用紙Ｓは、搬送路４４を経てレジストロール４５に搬送され、一旦、停止される。その後、トナー像が形成された中間転写ベルト２１の移動タイミングに合わせてレジストロール４５が回転し、記録用紙Ｓは、バックアップロール２４および二次転写ロール４６によって形成される二次転写位置に搬送される。二次転写位置にて下方から上方に向けて搬送される記録用紙Ｓには、圧接力および予め定めた電界を用いて、４色が多重されているトナー像が副走査方向に順次、転写される。そして、各色のトナー像が転写された記録用紙Ｓは、定着器２９によって熱および圧力で定着処理を受けた後、排出ロール４７によって本体１の上部に設けられた排出トレイ４８に排出される。尚、排出トレイ４８にそのまま排出せずに、図示しない切り替えゲートによって搬送方向を切り替え、定着器２９によって定着された記録用紙Ｓを両面用搬送ユニット４９によって反転させることもできる。この反転された記録用紙Ｓをレジストロール４５に搬送した後、再び上述の流れによって、印刷されていない他の面について画像を形成することで、記録用紙Ｓの両面に画像を形成することが可能となる。
【００１８】
＜画像形成ユニット１１Ｙ，１１Ｍ，１１Ｃ，１１Ｋ＞
次に、画像プロセス系１０における画像形成ユニット１１Ｙ，１１Ｍ，１１Ｃ，１１Ｋについて詳述する。
図２は、画像形成ユニット１１Ｙ，１１Ｍ，１１Ｃ，１１Ｋの構成を説明するための図であり、ここでは、イエロー（Ｙ）の画像形成ユニット１１Ｙとマゼンタ（Ｍ）の画像形成ユニット１１Ｍとが示されている。他の画像形成ユニット１１Ｃ，１１Ｋもほぼ同様に構成されている。
【００１９】
画像形成ユニット（画像形成部）１１Ｙ，１１Ｍ，１１Ｃ，１１Ｋは、トナー像を保持させる像保持体としての感光体ドラム１２、帯電ロール１３ａを用いて感光体ドラム１２を帯電させる帯電器（帯電手段）１３、帯電器１３によって帯電され、走査光学系（露光手段）３０（図１参照）からのレーザ光（ＬＢ−Ｙ，ＬＢ−Ｍ，ＬＢ−Ｃ，ＬＢ−Ｋ）によって感光体ドラム１２上に形成された静電潜像を現像ロール（現像剤保持体）１４ａに保持されたトナーによって現像する現像器（現像手段）１４、中間転写ベルト２１を挟んで感光体ドラム１２に対向して設けられ、感光体ドラム１２上に現像されたトナー像を中間転写ベルト２１上に転写する一次転写ロール（転写手段）１５、転写後に感光体ドラム１２上に残った残留トナーをクリーニングブレード（クリーニング手段）１６ａで除去するクリーニング装置１６を備えている。クリーニングブレード１６ａは、自由端側のブレードエッジが感光体ドラム１２の移動方向に対してドクター方向に圧接するように配置される。
【００２０】
ここで、本実施の形態の画像形成装置においては、中間転写ベルト２１と感光体ドラム１２とを離間させる所謂リトラクト機構は設けられていない。また、本実施の形態の画像形成ユニット１１Ｙ，１１Ｍ，１１Ｃ，１１Ｋは、トナー像を中間転写ベルト２１上に転写した後、感光体ドラム１２上の静電潜像履歴を消すための除電機構は設けられておらず、所謂イレーズレス方式である。
【００２１】
本実施の形態では、現像器１４においてキャリアＣおよびトナーＴを有する二成分現像剤（以下、単に現像剤という）Ｄを用いた二成分現像方式を採用している。なお、トナーＴは負極性に帯電し、キャリアＣは正極性に帯電する特性を有している。そして、感光体ドラム１２も負極性に帯電する感光層（図示せず）を有している。
また、現像器１４では、予め定めたタイミングでキャリアＣを含むトナーＴを新たに供給し、その結果、現像器１４内で余剰となった現像剤Ｄを外部に排出するトリクル方式を採用することで、長期間の使用に伴って劣化したキャリアＣを除去できるようになっている。
【００２２】
なお、図２に示すように、現像ロール１４ａと感光体ドラム１２との対向部において、現像ロール１４ａと感光体ドラム１２との間でトナーＴの転移が生じる範囲を現像領域Ａｄと呼ぶ。
また、図示の例では、各画像形成ユニット１１Ｙ，１１Ｍ，１１Ｃ，１１Ｋの感光体ドラム１２、帯電器１３、クリーニング装置１６をそれぞれ一体化してプロセスカートリッジ（図示せず）とすることで、画像形成装置の本体１からこのプロセスカートリッジだけを取り外し、また、プロセスカートリッジだけを本体１に対して取り付け可能とし、ユーザによる交換を可能としている。
【００２３】
図３は、画像形成ユニット１１Ｙ，１１Ｍ，１１Ｃ，１１Ｋの駆動制御系および電気制御系の構成を説明するための図であり、ここでは、イエロー（Ｙ）の画像形成ユニット１１Ｙの例が示されている。他の画像形成ユニット１１Ｍ，１１Ｃ，１１Ｋについてもほぼ同様に構成されている。
【００２４】
感光体ドラム１２には、この感光体ドラム１２を回転駆動するための感光体ドラム駆動装置５１が取り付けられている。
また、現像ロール１４ａには、この現像ロール１４ａを回転駆動するための現像ロール駆動装置５２が取り付けられている。なお、帯電ロール１３ａは回転駆動される感光体ドラム１２に従動して回転し、一次転写ロール１５は回転駆動される中間転写ベルト２１に従動して回転するようになっており、それぞれに駆動装置は設けられていない。
【００２５】
また、図示の画像形成装置においては、画像形成ユニット１１Ｙ，１１Ｍ，１１Ｃ，１１Ｋにおけるそれぞれの感光体ドラム１２は、１つの感光体ドラム駆動装置５１から駆動を受けている。
さらに、図示の画像形成装置においては、２つの現像ロール駆動装置５２が設けられており、画像形成ユニット１１Ｙ，１１Ｍ，１１Ｃにおけるそれぞれの現像ロール１４ａは１つの現像ロール駆動装置５２から駆動を受け、画像形成ユニット１１Ｋにおける現像ロール１４ａは他の現像ロール駆動装置５２から駆動を受ける。
【００２６】
さて、帯電ロール１３ａには、帯電バイアスを印加するための帯電バイアス印加装置６０が接続されている。この帯電バイアス印加装置６０は、帯電ロール１３ａに負の直流バイアスを印加するための帯電ＤＣ電源６１および交流バイアスを印加するための帯電ＡＣ電源６２を並列接続したものであり、帯電ＤＣ電源６１には帯電ＤＣ接続スイッチ６３が、帯電ＡＣ電源６２には帯電ＡＣ接続スイッチ６４が、それぞれ直列に接続されている。
【００２７】
現像ロール１４ａには、現像バイアスを印加するための現像バイアス印加装置７０が接続されている。この現像バイアス印加装置７０は、現像ロール１４ａに負の直流バイアスを印加するための現像ＤＣ電源７１および交流バイアスを印加するための現像ＡＣ電源（交流印加手段）７２を並列接続したものであり、現像ＤＣ電源７１には現像ＤＣ接続スイッチ７３が、現像ＡＣ電源７２には現像ＡＣ接続スイッチ７４が、それぞれ直列に接続されている。
【００２８】
一次転写ロール１５には、一次転写バイアスを印加するための一次転写バイアス印加装置８０が接続されている。一次転写バイアス印加装置８０は、一次転写ロール１５に正極性の直流バイアスを印加するための一次転写電源８１と、この一次転写電源８１に直列に接続される一次転写接続スイッチ８２とを有している。
【００２９】
＜フルカラー画像の形成動作＞
次に、図３および図４を参照しながら、フルカラー画像を形成する際の、画像形成ユニット１１Ｙにおける画像形成動作について説明する。
図４は、フルカラー画像を形成する際にイエロー（Ｙ）の画像形成ユニット１１Ｙが行う画像形成動作のタイミングチャートである。他の画像形成ユニット１１Ｍ，１１Ｃ，１１Ｋについては、その取り付け位置に応じて画像形成タイミングがそれぞれ異なるもののほぼ同様である。なお、図４に示すタイミングチャートでは、感光体ドラム１２が一周するのにかかる時間（周期）をＴＣとしている。
【００３０】
時刻ｔ０において画像形成動作が開始されると、感光体ドラム１２が回転を開始する。これと同時に、帯電ロール１３ａに対して直流の帯電バイアスの印加が開始される。このときの感光体ドラム１２の帯電電位はＶＨ１（後述する図５参照）である。また、図４において図示は省略するが、帯電ロール１３ａに対して交流の帯電バイアスの印加が時刻ｔ０において開始される。
【００３１】
そして、時刻ｔ１以降において帯電電位ＶＨ１に帯電した感光体ドラム１２表面に選択的にレーザ光ＬＢ−Ｙが照射され、作成すべき画像に対応した静電潜像が形成される。このとき、レーザ光ＬＢ−Ｙによって照射されることで感光体ドラム１２が帯電電位ＶＨ１から露光電位ＶＬ（後述する図５参照）になる。
【００３２】
次に、感光体ドラム１２表面の帯電部位の先端部が現像ロール１４ａとの対向部に到達する時刻ｔ２において、現像ロール１４ａが回転を開始する。これと同時に、現像ロール１４ａに対して直流の現像バイアスの印加が開始される。また、図４において図示は省略するが、現像ロール１４ａに対して交流の現像バイアスの印加が時刻ｔ２において開始される。
すると、現像ロール１４ａから感光体ドラム１２に対し、形成された静電潜像に対応して選択的にトナーＴが転移し、作成すべき画像に対応したトナー像が形成される。
【００３３】
さらに、感光体ドラム１２表面の帯電部位の先端部が現像領域Ａｄに到達する時刻ｔ３において、一次転写バイアスの印加が開始される。これにより、感光体ドラム１２上に形成されたトナー像は、中間転写ベルト２１上に転写される。そして、中間転写ベルト２１に転写されずに感光体ドラム１２上に残留する残留トナーは、クリーニングブレード１６ａによって掻き取られる。
【００３４】
一方、画像形成動作を終了する際には、まず、時刻ｔ４において帯電ロール１３ａに対する直流、および交流（図４において図示せず）の帯電バイアスの印加が停止される。また、時刻ｔ５において感光体ドラム１２の表面に対するレーザ光ＬＢ−Ｙの照射も終了する。
次に、感光体ドラム１２表面の帯電部位の後端部が現像ロール１４ａとの対向部に到達する時刻ｔ６において、現像ロール１４ａの回転を停止する。これと同時に、現像ロール１４ａに対する直流、および交流（図４において図示せず）の現像バイアスの印加が停止される。
さらに、感光体ドラム１２表面の帯電部位の後端部が一次転写ロール１５との対向部に到達する時刻ｔ７において、一次転写バイアスの印加が停止される。その後、感光体ドラム１２表面の帯電部位の後端部が帯電ロール１３ａとの対向部に到達する時刻ｔ８において、感光体ドラム１２の回転を停止する。
【００３５】
＜感光体ドラム１２の帯電電位＞
続いて、感光体ドラム１２における帯電電位ＶＨ１および露光電位ＶＬと、現像領域Ａｄにおいて現像ロール１４ａに印加される直流現像電圧Ｖｄとの関係について説明を行う。
図５は、帯電電位ＶＨ１および露光電位ＶＬと、現像領域Ａｄにおいて現像ロール１４ａに印加される直流現像電圧Ｖｄとの関係を説明するための図である。
【００３６】
本実施の形態では、帯電電位ＶＨ１および露光電位ＶＬがともに負極性となっており、露光電位ＶＬの大きさは、絶対値で帯電電位ＶＨ１よりも小さい値となっている（｜ＶＬ｜＜｜ＶＨ１｜）。そして、直流現像電圧Ｖｄは、負極性であってその絶対値の大きさが帯電電位ＶＨ１と露光電位ＶＬとの間の大きさに設定される（｜ＶＬ｜＜｜Ｖｄ｜＜｜ＶＨ１｜）。
【００３７】
帯電電位ＶＨ１と露光電位ＶＬと直流現像電圧Ｖｄとが上述した関係を有している場合、現像領域Ａｄを通過する現像ロール１４ａ上のトナーＴ（負極性に帯電）は、感光体ドラム１２上で相対的に正の電位となる露光電位ＶＬ（画像部）の領域には転移（飛翔）しやすくなる。また、トナーＴは、感光体ドラム１２上で相対的に負の電位となる帯電電位ＶＨ１（背景部）の領域には転移（飛翔）しにくくなる。
それに対して、現像領域Ａｄを通過する現像ロール１４ａ上のキャリアＣ（正極性に帯電）は、感光体ドラム１２上で相対的に正の電位となる露光電位ＶＬ（画像部）の領域には転移（飛翔）しにくくなる。また、感光体ドラム１２上で相対的に負の電位となる帯電電位ＶＨ１（背景部）の領域には転移（飛翔）しやすくなる。
【００３８】
ここで、トナーＴは上述のように負極性に帯電しているが、例えば、トナーＴの帯電特性が安定せずに逆帯電トナー（正極性に帯電）が生じた場合等において、帯電電位ＶＨ１（背景部）にトナーＴが転移し、背景部に付着してしまうことがある。この背景部にトナーＴが付着する所謂トナーかぶりが起きると、記録用紙Ｓに転写された際に背景部の汚れとなり画質が低下する。
また、キャリアＣは正極性に帯電しているので、例えば、帯電電位ＶＨ１（背景部）の絶対値が大きくなり感光体ドラム１２に向かう方向に働く静電気力が大きくなった場合等において、帯電電位ＶＨ１（背景部）にキャリアＣが転移し、背景部に付着してしまう所謂ＢＣＯ（Ｂｅａｄ  Ｃａｒｒｙ  Ｏｖｅｒ）という現象が発生する。このＢＣＯが起きると、記録用紙Ｓに転写された際に、背景部の汚れとなり画質が低下する。また、記録用紙Ｓに転写されない場合でも、キャリアＣが感光体ドラム１２に転移すると感光体ドラム１２に損傷を与え得る。
【００３９】
付言すると、帯電電位ＶＨ１や露光電位ＶＬが安定していない場合、例えば直流現像電圧Ｖｄとのそれぞれの電位差が変化することから、上述のトナーかぶりやＢＣＯがより発生しやすい状態となる。
ここで、露光電位ＶＬを基準とする露光電位ＶＬと直流現像電圧Ｖｄとの差を飛翔電位差Ｖｄｅｖｅと呼び、直流現像電圧Ｖｄを基準とする直流現像電圧Ｖｄと帯電電位ＶＨ１との差を逆飛翔電位差Ｖｃｌｎと呼ぶ。そして、飛翔電位差Ｖｄｅｖｅおよび逆飛翔電位差Ｖｃｌｎは、トナーかぶりやＢＣＯが発生しないように定められる。例えば帯電電位ＶＨ１が−４００Ｖ、露光電位ＶＬが−２００Ｖ、そして直流現像電圧Ｖｄが−３００Ｖとすると、飛翔電位差Ｖｄｅｖｅが−１００Ｖ、逆飛翔電位差Ｖｃｌｎが−１００Ｖとなる。
【００４０】
＜感光体ドラム１２の表面状態＞
次に、帯電バイアス印加装置６０が印加する印加電圧Ｖｃの大きさと感光体ドラム１２表面の状態との関係について説明をする。図６は、帯電バイアス印加装置６０が印加する印加電圧Ｖｃの大きさと感光体ドラム１２表面の状態との関係を示すための図である。
まず、帯電バイアス印加装置６０が印加する印加電圧Ｖｃを絶対値で大きくしていった場合、帯電ロール１３ａと感光体ドラム１２との電位差がある値を超えると、帯電ロール１３ａと感光体ドラム１２との間で放電が始まる。この放電が開始するときの帯電ロール１３ａと感光体ドラム１２との間の電位差を放電開始電圧Ｖαという。
【００４１】
ここで、放電開始電圧Ｖαよりも大きな印加電圧Ｖｃにより感光体ドラム１２を帯電させ、帯電ロール１３ａと感光体ドラム１２との間で放電をおこすと、オゾンやＮＯｘなどの放電生成物が発生することが知られている。放電生成物であるオゾン（Ｏ３）や窒素酸化物（ＮＯｘ）は、感光体ドラム１２の表面に付着し、さらに雰囲気中の水分と結合する等して、感光体ドラム１２の表面における摩擦係数を上昇させる。それに対して、放電開始電圧Ｖαよりも小さな印加電圧Ｖｃにより感光体ドラム１２を帯電させる場合、放電生成物は発生しない。
【００４２】
また、放電開始電圧Ｖαよりも大きな印加電圧Ｖｃを印加させている場合と比較して、放電開始電圧Ｖαよりも小さな印加電圧Ｖｃを印加させている場合は、感光体ドラム１２の表面の帯電電位が不安定となる。これは、放電開始電圧Ｖαよりも小さな印加電圧Ｖｃを印加している場合には、感光体ドラム１２の帯電電位が摩擦帯電や注入帯電等による影響を受けるためである。そして、感光体ドラム１２の帯電電位が不安定になる状態においては、上述のようにトナーかぶりやＢＣＯが発生しやすい状態となる。付言すると、本実施の形態において通常の画像形成を行う際には、印加電圧Ｖｃは放電開始電圧Ｖαよりも大きくし、感光体ドラム１２の帯電電位を安定させている。なお、この通常の画像形成を行う際の感光体ドラム１２の帯電電位ＶＨ１は、印加電圧Ｖｃと放電開始電圧Ｖαとの差分と等しい関係となっている（｜ＶＨ１｜＝｜Ｖｃ｜−｜Ｖα｜）。
【００４３】
＜モノクロ画像の形成＞
さて、本実施の形態の画像形成装置は、上述のように中間転写ベルト２１と感光体ドラム１２とを離間させるリトラクト機構を有しない。このため、例えばモノクロ画像（白黒画像）を形成する際のように、画像形成ユニット１１Ｙ，１１Ｍ，１１Ｃ，１１Ｋのうちの一部のユニットのみを用いて画像を形成する場合であっても、全ての感光体ドラム１２を回転させることが必要となる。中間転写ベルト２１と感光体ドラム１２とが摩擦により損傷を受けることを抑制するためである。
【００４４】
ここで、画像形成ユニット１１Ｙ，１１Ｍ，１１Ｃ，１１Ｋのうちの一部のみを用いて画像を形成する場合の例として、モノクロ画像を形成することを説明する。
このモノクロ画像の形成においては、黒（Ｋ）の画像形成ユニット１１Ｋのみが記録用紙Ｓに画像を形成し、他の画像形成ユニット１１Ｙ，１１Ｍ，１１Ｃは記録用紙Ｓに画像を形成しない。
【００４５】
以下で、記録用紙Ｓに画像を形成しない他の画像形成ユニット１１Ｙ，１１Ｍ，１１Ｃにおける各構成部材について説明をする。
まず、記録用紙Ｓに画像を形成しない画像形成ユニット１１Ｙ，１１Ｍ，１１Ｃにおいて、中間転写ベルト２１の回転に伴い感光体ドラム１２を回転させると、感光体ドラム１２に接触して設けられるクリーニングブレード１６ａが捲れることがある。また、感光体ドラム１２を回転させることにともない、感光体ドラム１２の帯電電位が不安定になることがある。
【００４６】
クリーニングブレード１６ａが捲れる理由の一つとしては、感光体ドラム１２とクリーニングブレード１６ａとの間において潤滑作用を発揮するトナーＴが、記録用紙Ｓに画像を形成しない感光体ドラム１２に対して供給されないことが挙げられる。言い替えると、潤滑作用を有するトナーＴが供給されないことにより、トナーＴが供給される場合と比較して、感光体ドラム１２とクリーニングブレード１６ａとの間の摩擦係数が増加し、クリーニングブレード１６ａが捲れる。なお、クリーニングブレード１６ａが捲れると、クリーニングブレード１６ａが損傷を受けることや、クリーニングブレード１６ａが残留トナーを除去する性能が低下し画質が低下し得る。
【００４７】
このクリーニングブレード１６ａの捲れを抑制するため、一般的には、潤滑作用のあるトナーＴを、画像を形成しない画像形成ユニット１１Ｙ，１１Ｍ，１１Ｃの感光体ドラム１２上に供給する方策がある。しかしながら、上述のように本実施の形態においてはリトラクト機構が設けられない。したがって、感光体ドラム１２に供給されたトナーＴは、中間転写ベルト２１へ転写され得る。このことにより、本来画像を形成しないはずのトナーＴが記録用紙Ｓへ供給され、画質が低下するおそれがある。
【００４８】
一方、感光体ドラム１２を回転させることで感光体ドラム１２の帯電電位が不安定になる理由の一つとしては、帯電ロール１３ａ等の他の部材との摩擦により、感光体ドラム１２において摩擦帯電が起きることが挙げられる。例えば、帯電バイアス印加装置６０が印加する印加電圧Ｖｃを０Ｖとした場合、摩擦帯電の影響により、感光体ドラム１２の帯電電位は正極性にも負極性にも帯電し得る。したがって、この場合トナーかぶりやＢＣＯが発生しやすい状態となる。
【００４９】
この摩擦帯電により感光体ドラム１２の帯電電位が不安定になることを抑制するために、帯電バイアス印加装置６０が印加する印加電圧Ｖｃを負極性であってその絶対値の大きさを０よりも大きくする方策がある。
しかしながら、例えば上述のフルカラー画像の形成時のように、負極性であってその絶対値を放電開始電圧Ｖαよりも大きな印加電圧Ｖｃを加えると、放電生成物が発生し、感光体ドラム１２とクリーニングブレード１６ａとの間の摩擦係数が増加する。よって、クリーニングブレード１６ａがより捲れやすい状態となる。
また、負極性であってその絶対値を０よりも大きく、かつ放電開始電圧Ｖαの絶対値よりも小さな印加電圧Ｖｃ（０＜｜Ｖｃ｜＜｜Ｖα｜）を単に加えただけでは、放電生成物は発生しないものの、感光体ドラム１２の帯電電位が摩擦帯電等による影響を受け感光体ドラム１２の帯電電位が不安定となり、トナーかぶりやＢＣＯが発生しやすい状態となることを抑制できない。
【００５０】
そこで、本実施の形態においては、制御部１００が、画像形成をしない他の画像形成ユニット１１Ｙ，１１Ｍ，１１Ｃの感光体ドラム１２に帯電バイアス印加装置６０が印加する印加電圧Ｖｃを、負極性であってその絶対値を０よりも大きくし、かつ放電開始電圧Ｖαの絶対値よりも小さくする（０＜｜Ｖｃ｜＜｜Ｖα｜）。このことにより、放電生成物の発生を抑え、感光体ドラム１２とクリーニングブレード１６ａとの間の摩擦係数が増加することを抑制する。
【００５１】
それとともに、感光体ドラム１２の帯電電位が他の部材との摩擦により不安定となり、トナーかぶりやＢＣＯが発生しやすい状態となることについては次のようにする。まず、制御部１００が、予めトナーかぶりの要因となるトナーＴを除去することでトナーかぶりを抑制する。また、モノクロ画像の形成を行っている際に、制御部１００が、帯電バイアス印加装置６０が印加する印加電圧Ｖｃを制御することでＢＣＯを抑制する。付言すると、本実施の形態においては、ＢＣＯの発生を抑制する印加電圧Ｖｃとすることにより、キャリアＣとは逆極性に帯電するトナーＴがトナーかぶりを生じさせやすい状態であるにもかかわらず、トナーかぶりの発生を抑制し得る。
【００５２】
ここで、トナーかぶりを抑制するために予め行うトナーＴの除去は、次のように行う。すなわち、現像ロール１４ａは回転させず停止させた状態で、現像ロール１４ａと感光体ドラム１２との間で、トナーＴの転移が生じる範囲である現像領域Ａｄに存在するトナーＴを排出させること（トナー排出動作）により行う。さらに説明をすると、現像ロール１４ａを停止させた状態で、予め定めた時間、通常の画像形成と同様の現像を行うことによりトナー排出動作を行う。すなわち、現像ロール１４ａを停止させた状態で、感光体ドラム１２を帯電させ、帯電させた感光体ドラム１２を露光し、この露光電位ＶＬの領域に、現像領域Ａｄに存在するトナーＴを感光体ドラム１２に転移させる。なお、トナーＴの排出の具体的な動作については後述する。
【００５３】
また、本実施の形態では、トナー排出動作後でモノクロ画像の形成を行っている際にＢＣＯの発生を抑制するため、現像ロール１４ａに印加される直流現像電圧Ｖｄと、帯電バイアス印加装置６０が印加する印加電圧Ｖｃとの電位差を上述の逆飛翔電位差Ｖｃｌｎと等しくする。例えば、逆飛翔電位差Ｖｃｌｎが−１００Ｖであり、直流現像電圧Ｖｄを０Ｖとする（詳細は後述）場合、帯電バイアス印加装置６０が印加する印加電圧Ｖｃは−１００Ｖとする。このことにより、通常の画像形成の際にＢＣＯが発生する程度にまで、画像を形成しない画像形成ユニット１１Ｙ，１１Ｍ，１１ＣにおけるＢＣＯの発生頻度を抑制し得る。
【００５４】
さらに、帯電バイアス印加装置６０が印加する印加電圧Ｖｃを負極性であってその絶対値を０よりも大きくし、かつ放電開始電圧Ｖαの絶対値よりも小さくする（０＜｜Ｖｃ｜＜｜Ｖα｜）ことにより、帯電ロール１３ａと感光体ドラム１２の間で注入帯電が発生する。したがって、感光体ドラム１２の帯電電位を、少なくとも０Ｖと印加電圧Ｖｃとの間となるように制御し得る。ここで、トナー排出動作後でモノクロ画像の形成を行っている際において、負極性であってその絶対値を０よりも大きくし、かつ放電開始電圧Ｖαの絶対値よりも小さい印加電圧Ｖｃ（０＜｜Ｖｃ｜＜｜Ｖα｜）が印加された感光体ドラム１２の帯電電位を、帯電電位ＶＨ２とする。本実施の形態では、帯電電位ＶＨ２は負極性となっており、帯電電位ＶＨ２の大きさは、絶対値で帯電電位ＶＨ１よりも小さい値となっている（｜ＶＨ２｜＜｜ＶＨ１｜）。
【００５５】
付言すると、本実施の形態において仮に印加電圧Ｖｃを０Ｖとすると、次のような状態となり得る。
まず、感光体ドラム１２が回転している間は、感光体ドラム１２とクリーニングブレード１６ａとの摩擦により、静電気が発生する。このとき、感光体ドラム１２とクリーニングブレード１６ａとの帯電傾向の差から、感光体ドラム１２は正極性に帯電しやすくなる。感光体ドラム１２の帯電電位ＶＨ２が正極性になった場合、よりトナーかぶりが発生しやすい状態となる。
【００５６】
また、印加電圧Ｖｃを０Ｖとすると、特に低温低湿環境下において、帯電ロール１３ａが感光体ドラム１２に従動しにくくなる。感光体ドラム１２に印加電圧Ｖｃを印加することで、感光体ドラム１２と帯電ロール１３ａとの間に生じる静電吸着力が発生するが、印加電圧Ｖｃを０Ｖとするとこの静電吸着力が発生しなくなり、帯電ロール１３ａと感光体ドラム１２との間での摩擦力が低下するためである。
【００５７】
さて、本実施の形態においては、画像形成をしない他の画像形成ユニット１１Ｙ，１１Ｍ，１１Ｃの現像ロール１４ａに印加される直流現像電圧Ｖｄを０Ｖとする。なお、上述のようにフルカラー画像を形成する際の直流現像電圧Ｖｄは−３００Ｖである。
ここで、例えばフルカラー画像を形成する場合と同様に直流現像電圧Ｖｄを−３００Ｖとした場合と比較して、現像ロール１４ａに印加される直流現像電圧Ｖｄを０Ｖとすることにより、現像ロール１４ａと感光体ドラム１２との電位差が低減され、トナーかぶりが抑制される。
【００５８】
また、直流現像電圧Ｖｄを０Ｖとすることで、帯電バイアス印加装置６０が印加する印加電圧Ｖｃを、より０Ｖに近づけて設定することが可能となる。ここで、本実施の形態においては、上述のように感光体ドラム１２の帯電電位ＶＨ２が０Ｖと印加電圧Ｖｃとの間の範囲となる。この感光体ドラム１２の帯電電位ＶＨ２の範囲の幅が、直流現像電圧Ｖｄを０Ｖとすることにより小さくなる。
【００５９】
また、本実施の形態においては、一次転写ロール１５に印加される直流電圧を０Ｖとする。このことにより、感光体ドラム１２上にトナーＴが存在する場合であっても、中間転写ベルト２１上にトナーＴが転写されることが抑制される。なお、フルカラー画像を形成する際と同様に、転写バイアスを正極性に印加した場合、感光体ドラム１２が正極性に帯電し得る。感光体ドラム１２が正極性に帯電した場合、帯電バイアス印加装置６０が印加する印加電圧Ｖｃを絶対値で放電開始電圧Ｖα以下としているのにもかかわらず、帯電ロール１３ａと感光体ドラム１２との間で放電し、放電生成物が発生する状態ともなり得る。
【００６０】
＜モノクロ画像の形成動作＞
次に、図７および図８を参照しながら、フルカラー画像の形成動作後にモノクロ画像を形成する際の、画像形成ユニット１１Ｙ，１１Ｍ，１１Ｃ，１１Ｋにおける画像形成動作について説明する。
【００６１】
図７は、モノクロ画像を形成する際にイエロー（Ｙ）の画像形成ユニット１１Ｙが行う画像形成動作のタイミングチャートである。また、図８は、モノクロ画像を形成する際に黒（Ｋ）の画像形成ユニット１１Ｋが行う画像形成動作のタイミングチャートである。
なお、モノクロ画像を形成する際は、記録用紙Ｓに画像を形成しない画像形成ユニット１１Ｙ，１１Ｍ，１１Ｃはそれぞれ同様の動作を行う。以下では、記録用紙Ｓに画像を形成しない画像形成ユニット１１Ｙ，１１Ｍ，１１Ｃのうち画像形成ユニット１１Ｙの動作を説明した後に、記録用紙Ｓに画像を形成する画像形成ユニット１１Ｋの動作について説明をする。
【００６２】
まず、画像形成ユニット１１Ｙの動作について説明をする。
図示の例においては、画像形成ユニット１１Ｙは、モノクロ画像の形成を開始する前にトナー排出動作を行い、モノクロ画像の形成時には絶対値で放電開始電圧Ｖα以下の印加電圧Ｖｃとして放電生成物の生成を抑制する。また、図示の例においては、現像ロール１４ａは回転駆動されず、一次転写バイアスは印加されない。
【００６３】
具体的には、まず、時刻ｔａにおいて感光体ドラム１２が回転を開始する。これと同時に、帯電ロール１３ａに対して直流の帯電バイアスの印加が開始される。このときの感光体ドラム１２の帯電電位ＶＨ２は、図４を用いて説明したフルカラー画像の形成動作時における帯電電位と等しいＶＨ１である。また、図７において図示は省略するが、帯電ロール１３ａに対して交流の帯電バイアスの印加が開始される。
【００６４】
そして、時刻ｔａから予め定めた時間（図示の例においては現像剤排出時間ＴＤと等しい時間、後述）が経過した時刻ｔｂにおいて帯電ロール１３ａに対して直流の帯電バイアスが小さくなり、感光体ドラム１２の帯電電位はＶＨ１からＶＨ２となる。帯電ロール１３ａに対する直流の帯電バイアスが放電開始電圧Ｖαより絶対値で小さくなることにより、時刻ｔｂ以降において放電生成物の発生が抑制される。
【００６５】
また、帯電電位ＶＨ１に帯電した感光体ドラム１２表面には、トナーＴを現像領域Ａｄから強制的に排出するための帯状画像（べた画像）を形成するためにレーザ光ＬＢ−Ｙが照射され、静電潜像が形成される。このとき、レーザ光ＬＢ−Ｙによって照射された感光体ドラム１２表面は、帯電電位ＶＨ１から露光電位ＶＬになる。なお、レーザ光ＬＢ−Ｙの照射は、予め定めた時間（図示の例においては現像剤排出時間ＴＤと等しい時間）が経過した後停止される（時刻ｔｃ）。
【００６６】
次に、感光体ドラム１２表面の帯電部位の先端部が現像ロール１４ａとの対向部に到達する時刻ｔｃにおいて、現像ロール１４ａに対して直流の現像バイアスの印加が開始される。また、図示は省略するが、現像ロール１４ａに対して交流の現像バイアスの印加が開始される。このことにより、現像ロール１４ａから感光体ドラム１２へのトナーＴの転移を促進する。なお、このとき現像ロール１４ａは停止したままである。
【００６７】
すると、現像ロール１４ａと感光体ドラム１２との対向部における現像領域Ａｄに存在するトナーＴが感光体ドラム１２に転移する。そして、感光体ドラム１２が回転することにより、トナーＴが現像領域Ａｄから排出される（取り除かれる）。また、上述のように現像ロール１４ａは停止したままであるから、新たなトナーＴが現像ロール１４ａの回転にともない現像領域Ａｄに供給されることは抑制される。
なお、現像ロール１４ａに対して直流の現像バイアスの印加は、現像剤排出時間ＴＤを経過した後、停止される（時刻ｔｄ）。また、図示は省略するが、時刻ｔｄにおいて現像ロール１４ａに対して交流の帯電バイアスの印加が停止する。ここで、現像剤排出時間ＴＤは、現像領域Ａｄに存在するトナーＴを排出するのに要する時間以上となるように設定される。
【００６８】
また、感光体ドラム１２表面の帯電部位の先端部が一次転写ロール１５との対向部に到達する時刻ｔｄにおいても、一次転写バイアスは印加されない。したがって、感光体ドラム１２上に形成された帯状画像は、中間転写ベルト２１に転写されずに、感光体ドラム１２上に位置したまま一次転写ロール１５を通過する。そして、この帯状画像は、クリーニングブレード１６ａによって掻き取られる。
【００６９】
そして、時刻ｔｄ以降においては、感光体ドラム１２が帯電電位ＶＨ２で帯電しながら回転している状態となる。このとき、帯電ロール１３ａと感光体ドラム１２との間では放電せず、放電生成物は生成されない。また、現像ロール１４ａは停止した状態であり、トナーＴが現像領域Ａｄへ新たに供給されることが抑制される。このことにより、トナーＴが現像領域Ａｄから感光体ドラム１２へ転移しトナーかぶりが発生することが抑制される。
【００７０】
モノクロ画像の形成を終了する際には、まず、時刻ｔｆにおいて帯電ロール１３ａに対する直流、および交流（図７において図示せず）の帯電バイアスの印加が停止され、感光体ドラム１２表面の帯電部位の後端部が、再び帯電ロール１３ａとの対向部に到達する際に時刻ｔｊにおいて、感光体ドラム１２の回転を停止する。
【００７１】
次に、画像形成ユニット１１Ｋの動作について説明をする。
本実施の形態における画像形成ユニット１１Ｋは、トナー排出動作を行うことなく、感光体ドラム１２を予め定めた期間回転させた後に、モノクロ画像の形成を開始する。
具体的には、まず、画像形成ユニット１１Ｙと同様に、時刻ｔａにおいて感光体ドラム１２が回転を開始する。このとき、感光体ドラム１２に対する直流、および交流（図８において図示せず）の帯電バイアスは印加されない。
【００７２】
そして、時刻ｔａから予め定めた時間ＴＥが経過した時刻ｔｋにおいて、感光体ドラム１２に対する直流、および交流（図８において図示せず）の帯電バイアスの印加が開始される。このときの感光体ドラム１２の帯電電位はＶＨ１である。時刻ｔｋ以降の画像形成動作は、図４に示した際の画像形成動作と同様であり、ここでは説明を省略する。なお、画像形成ユニット１１Ｙ，１１Ｍ，１１Ｃの感光体ドラム１２が停止する時刻ｔｊにおいて、画像形成ユニット１１Ｋの感光体ドラム１２も停止する。
【００７３】
なお、予め定めた時間ＴＥは、例えば画像形成ユニット１１Ｙ，１１Ｍ，１１Ｃの感光体ドラム１２にそれぞれ形成された帯状画像が一次転写ロール１５を通過するタイミングと、画像形成ユニット１１Ｋにより中間転写ベルト２１に転写された形成画像がこの一次転写ロール１５を通過するタイミングとが、重複しないように設定される。さらに説明をすると、予め定めた時間ＴＥは、例えば、画像形成ユニット１１Ｙ，１１Ｍ，１１Ｃにより形成された帯状画像が、画像形成ユニット１１Ｋの一次転写ロール１５を通過した後に、画像形成ユニット１１Ｋにより形成される画像が一次転写ロール１５によって転写されるように設定される。
このことにより、記録用紙Ｓに本来画像を形成しないイエロー（Ｙ）、マゼンタ（Ｍ）、シアン（Ｃ）のトナーが、記録用紙Ｓに形成された黒（Ｋ）の画像に重複することが抑制される。
【００７４】
さて、上述の実施の形態においては、モノクロ画像を形成する画像形成ユニット１１Ｋは、画像形成ユニット１１Ｙ，１１Ｍ，１１Ｃとは異なり、トナー排出動作を行うことなく、画像形成を開始する態様を説明した。しかしながら、画像形成ユニット１１Ｋが、画像形成ユニット１１Ｙ，１１Ｍ，１１Ｃと同様にトナー排出動作を行った後、モノクロ画像の形成を開始する態様であってもよい。このことにより、モノクロ画像の形成を開始するまでに、画像形成ユニット１１Ｋにおけるクリーニングブレード１６ａが捲れることが抑制される。
【００７５】
また、上述の実施の形態においては、画像形成ユニット１１Ｙ，１１Ｍ，１１Ｃ，１１Ｋのうちの一部のみを用いて画像を形成する場合の例として、黒（Ｋ）の画像形成ユニット１１Ｋが画像を形成することを説明したが、これに限定されない。画像形成ユニット１１Ｙ，１１Ｍ，１１Ｃのいずれか１つを用いて画像を形成してもよいし、画像形成ユニット１１Ｙ，１１Ｍ，１１Ｃ，１１Ｋのうちの２つまたは３つを組み合わせて画像を形成してもよい。
【００７６】
さらに、上述の実施の形態においては、記録用紙Ｓに画像形成をしない他の画像形成ユニット１１Ｙ，１１Ｍ，１１Ｃに対して、記録用紙Ｓに画像を形成する黒（Ｋ）の画像形成ユニット１１Ｋが中間転写ベルト２１の移動方向の最下流側に設けられていることから、予め定めた時間ＴＥを設けた。
これに対して、図１に示すように、中間転写ベルト２１の移動方向の最上流側に設けられているイエロー（Ｙ）の画像形成ユニット１１Ｙが記録用紙Ｓに画像を形成し、他の画像形成ユニット１１Ｍ，１１Ｃ，１１Ｋが記録用紙Ｓに画像形成をしない場合は、予め定めた時間ＴＥを設けない（ゼロとする）こともある。他の画像形成ユニット１１Ｍ，１１Ｃ，１１Ｋにて形成される帯状画像と、画像形成ユニット１１Ｙにて形成される記録用紙Ｓに転写される画像とが重複しないためである。
【００７７】
さらに、上述の実施の形態においては、現像剤として、キャリアＣおよびトナーＴを有する二成分現像剤として説明したが、キャリアＣを含まない一成分現像剤であってもよい。なお、一成分現像剤を用いた場合、ＢＣＯが発生することがない。したがって、例えばトナー排出動作後に現像ロール１４ａに印加される直流現像電圧Ｖｄと帯電バイアス印加装置６０が印加する印加電圧Ｖｃとの電位差を逆飛翔電位差Ｖｃｌｎよりも大きくしてもよい。このことにより、負極性に帯電したトナーＴが背景部に転移することがより抑制され、トナーかぶりが減少する。
【符号の説明】
【００７８】
１…本体、１０…画像プロセス系、１１Ｙ，１１Ｍ，１１Ｃ，１１Ｋ…画像形成ユニット、１２…感光体ドラム、１３…帯電器、１３ａ…帯電ロール、１４…現像器、１４ａ…現像ロール、１５…一次転写ロール、１６…クリーニング装置、１６ａ…クリーニングブレード、２０…転写ユニット、２１…中間転写ベルト、４０…シート搬送系、５０…画像処理部、５１…感光体ドラム駆動装置、５２…現像ロール駆動装置、６０…帯電バイアス印加装置、７０…現像バイアス印加装置、８０…一次転写バイアス印加装置、Ｃ…キャリア、Ｄ…現像剤、Ｔ…トナー
【図１】
0005935412.tif 000002
【図２】
0005935412.tif 000003
【図３】
0005935412.tif 000004
【図４】
0005935412.tif 000005
【図５】
0005935412.tif 000006
【図６】
0005935412.tif 000007
【図７】
0005935412.tif 000008
【図８】
0005935412.tif 000009